(57)【要約】【課題】カードを容易に取り付け得るようにし、その作業性を向上させる。カードに付帯カードが設けられているときはその切り離しを容易にする。【解決手段】直線状の取付基板１の上面に門形の弾性挟着片２が一体に形成され、該取付基部を容器１０に固着することにより該弾性挟着片が該容器の側壁外面１１に弾性的に圧着し、該弾性挟着片によってカード１５が該容器の側壁外面に挟着されるようにするカード差しであって、該弾性挟着片の上辺の一端にのみ上方に突出する摘み部３を形成する。また、弾性挟着片の上辺から摘み部の上辺に亘って一連の前方折曲縁４を形成する。摘み部が形成された側の弾性挟着片の一側縁に鋸羽状のカード切り５を形成する。【選択図】  図３
2004347808.tif 000002
【特許請求の範囲】
【請求項１】
直線状の取付基板の上面に門形の弾性挟着片が一体に形成され、該取付基部を容器に固着することにより該弾性挟着片が該容器の側壁外面に弾性的に圧着し、該弾性挟着片によってカードが該容器の側壁外面に挟着されるようにするカード差しであって、該弾性挟着片の上辺の一端にのみ上方に突出する摘み部を形成したことを特徴とするカード差し。
【請求項２】
弾性挟着片の上辺から摘み部の上辺に亘って一連の前方折曲縁を形成した請求項１に記載のカード差し。
【請求項３】
摘み部が形成された側の弾性挟着片の一側縁にカード切りを形成した請求項１または２に記載のカード差し。
【請求項４】
カード切りは弾性挟着片の一側縁を鋸羽状に形成したものである請求項３に記載のカード差し。
【発明の詳細な説明】
【０００１】
【発明の属する技術分野】
本発明は、運搬用容器に名称や属性，ロット番号，バーコード等を表示するカードを着脱自在に取り付けるためのカード差しに関するものである。
【０００２】
【従来の技術】
組立工場や配送場等において部品等の運搬用として使用される容器では、従来から弾性プラスチック製のカード差しが設けられ、その部品等の名称や属性，ロット番号，バーコード等が表示されたカード（いわゆる、カンバン）が該容器の側壁外面に着脱自在に保持されるようにしている。
【０００３】
【特許文献１】
実開昭６１−１０１７８０号公報
【特許文献２】
実公平５−４０５３４号公報
【０００４】
上記特許文献１に示されたカード差しは、弾性プラスチックにより直線状の取付基板の上面に左右対称なる門形の弾性挟着片が一体に形成され、該弾性挟着片の上辺が容器の側壁外面に弾性的に圧着するように取付基板を容器に固定し、該弾性挟着片によってカードが該容器の側壁外面に挟着されるようにしたものである。
【０００５】
また、上記特許文献２に示されたカード差しは、略四辺形のベース板の四辺に前面側に突き出る規制片を設けることにより、該ベース板の前面にポケット状のカード収納空間が形成されるようにしたものである。
【０００６】
【発明が解決しようとする課題】
ところで、上記特許文献１に示された従来のカード差しでは、カードを取り付けるに際して、弾性挟着片の上辺に一方の手の指先を引っ掛けて該弾性挟着片を前方に撓ませ、他方の手に持ったカードを該弾性挟着片と該容器の側壁外面の間に差し込むものであったが、該弾性挟着片はカードに脱落を防ぐために容器の側壁外面に強く圧着させていて、しかも弾性挟着片の上辺は可撓性があるので、片方の手で弾性挟着片を前方に撓ませても、該弾性挟着片の上辺全体が容器の側壁外面から離間せず、そのためにカードを差し込み難く、取付作業性が悪いという問題があった。
【０００７】
また、上記特許文献２に示された従来のカード差しでは、ベース板の四辺に形成された規制片によって取り付け得るカードの大きさが制限されるという問題がある。
本発明はこれらの問題点を解消しようとするものである。
【０００８】
【課題を解決するための手段】
そのために本発明に係るカード差しは、直線状の取付基板の上面に門形の弾性挟着片が一体に形成され、該取付基部を容器に固着することにより該弾性挟着片が該容器の側壁外面に弾性的に圧着し、該弾性挟着片によってカードが該容器の側壁外面に挟着されるようにするカード差しであって、該弾性挟着片の上辺の一端にのみ上方に突出する摘み部を形成したことを特徴とする。
このため、取付作業時に作業者の両手が干渉し難くなり、カード取付の作業性を向上させる。
【０００９】
また本発明は上記カード差しにおいて、弾性挟着片の上辺から摘み部の上辺に亘って一連の前方折曲縁を形成したことを特徴とする。
このため、弾性挟着片の上辺の剛性が増し、摘み部を前方に引くだけで弾性挟着片の上辺全長を確実に側壁外面から離間させることができ、カード取り付け作業を一層スムースにする。
【００１０】
また本発明は上記カード差しにおいて、摘み部が形成された側の弾性挟着片の一側縁にカード切りを形成したことを特徴とする。
また本発明は上記カード差しにおいて、カード切りは弾性挟着片の一側縁を鋸羽状に形成したものであることを特徴とする。
このため、カードに付帯カードが設けられている場合にその切り離しを容易にできる。
【００１１】
【発明の実施の形態】
次に図面に従い本発明の実施の形態を説明する。図１は本発明に係るカード差しの外観斜視図、図２はその側面図、図３はその使用状態を示した容器の側壁外面の斜視図、図４は図３の容器側壁の縦断面図である。このカード差しは、ポリプロピレン等の弾性プラスチックにより一体に成形されるもので、定幅直線状の取付基板１の上面に門形の弾性挟着片２が一体に形成され、該弾性挟着片２の上辺の一端にのみ上方に突出する摘み部３が一体に形成され、該弾性挟着片２の上辺から摘み部３の上辺に亘っては一連に前方折曲縁４を形成している。５は摘み部３が形成された側の該弾性挟着片２の一側縁を鋸羽状に形成してなるカード切りである。なお、図２に示されるように弾性挟着片２は取付基板１の上面に後傾状に形成されたものである。
【００１２】
また、取付基板１は、両端部寄りの前縁に切込６，６を形成し、下面に突起７，７を形成し、後縁に突条８，８を形成してなる。
【００１３】
一方、容器１０における側壁外面１１の下部フランジ９には図５，図６に示したように係合孔１２，１２が形成され、該係合孔の前縁に突起１３，１３が形成され、側壁外面１１に該係合孔１２，１２と相対する突起１４，１４が形成される。そして、取付基板１を該下部フランジ９上に乗せ突起７，７を係合孔１２，１２に合致させるとともに、突起１３，１３に切込６，６を合致させ、突条８，８を突起１４，１４の下面に当接させることにより該取付基板１を該下部フランジ９上に固着し、弾性挟着片２を側壁外面１１に圧着させる。
【００１４】
このカード差しでは、摘み部３に指先を掛けて引くことにより、弾性挟着片２の上辺が側壁外面１１から離間するのでその間隔にカード１５を差し込むことにより、該弾性挟着片２の弾性により該カード１５を該側壁外面に挟着させることができる。カード１５には図３に示したように容器１０内に収容される物品の名称や属性，ロット番号，バーコード等が表示されているとともに、ミシン目１６を隔てて切り離し可能なる付帯カード１７が設けられ、該付帯カード１７が前記カード切り５の外側に位置するように該弾性挟着片２により挟着される。
【００１５】
このように摘み部３を弾性挟着片２の上辺の一端に形成したことにより、この摘み部３に指先を掛ける一方の手ともう一方のカードを持つ手とが互いに干渉し難くなり、カード取り付け作業がスムースにできるようになる。また、弾性挟着片２の上辺から摘み部３の上辺に亘る一連の前方折曲縁４を形成することにより剛性が増すので、摘み部３を手前に引くだけで弾性挟着片２の上辺の略々全長を側壁外面１１から離間させることができ、カード取り付け作業を一層スムースにする。
【００１６】
また、図３に示したようにカード１５を取り付けた状態にて、付帯カード１７を手で摘んで手前に引き、ミシン目１６をカード切り５に当接させることにより、該付帯カード１７をミシン目１６に沿ってきれいに簡単に切り離すことができる。このカード切り５は、摘み部３が形成された側に形成されていることから充分な高さにでき、しかも弾性挟着片２の一側縁を鋸羽状とするだけで簡単に形成することができ、カード１５を弾性挟着片２により挟着させたままで付帯カード１７のみを切り離すのに極めて便利である。
【００１７】
【発明の効果】
このように本発明のカード差しは、門形の弾性挟着片の上辺の一端にのみ上方に突出する摘み部を形成したことから、カード取付の作業性を向上させる利点がある。また、鋸羽状のカード切りを設けたことにより、付帯カードの切り離しを容易にする効果がある。
【図面の簡単な説明】
【図１】本発明の実施形態を示したカード差しの外観斜視図。
【図２】図１のカード差しの側面図。
【図３】図１のカード差しの使用状態を示した容器の側壁外面の斜視図。
【図４】図３の容器側壁の縦断面図。
【図５】図１のカード差しが取り付けられる容器の側壁外面の斜視図。
【図６】図１のカード差しと該カード差しが取り付けられる容器の側壁外面の部分拡大斜視図。
【符号の説明】
１      取付基板
２      弾性挟着片
３      摘み部
４      前方折曲縁
５      カード切り
１０    容器
１１    側壁外面
１５    カード
１６    ミシン目
１７    付帯カード
【図１】
2004347808.tif 000003
【図２】
2004347808.tif 000004
【図３】
2004347808.tif 000005
【図４】
2004347808.tif 000006
【図５】
2004347808.tif 000007
【図６】
2004347808.tif 000008